(57)【要約】【課題】  有線ＬＡＮ側の障害を検知して対処することができる無線ＬＡＮアクセスポイント機器を提供する。【解決手段】  本発明の無線ＬＡＮアクセスポイント機器１０１は、有線ＬＡＮと無線ＬＡＮとから構成されるＬＡＮ１００に接続され、有線ＬＡＮ側の障害を検知する有線ＬＡＮ障害検知手段と、この有線ＬＡＮ障害検知手段により有線ＬＡＮ側の障害が検知されたときに、この無線ＬＡＮアクセスポイント機器１０１の動作に関する設定を変更する設定変更手段と、を備えた。【選択図】        図２
2006094277.tif 000002
【特許請求の範囲】
【請求項１】
無線部と制御部とを有する無線ＬＡＮ（Local  Area  Network）接続装置が接続されたコンピュータシステムと無線通信可能な、有線ＬＡＮと無線ＬＡＮとから構成されるＬＡＮのネットワーク上に配置される無線ＬＡＮアクセスポイント機器であって、
前記コンピュータシステムと通信を行う無線送受信手段と、
前記無線送受信手段を含む前記無線ＬＡＮアクセスポイント機器を制御する制御手段と、
前記無線ＬＡＮアクセスポイント機器の動作に関する設定を行う動作設定手段と、を有し、
前記有線ＬＡＮの障害を検知する有線ＬＡＮ障害検知手段と、
前記有線ＬＡＮ障害検知手段により前記有線ＬＡＮの障害が検知されたとき、この障害に対処するよう前記動作設定手段による前記設定を変更する動作設定変更手段と、
を備えたことを特徴とする無線ＬＡＮアクセスポイント機器。
【請求項２】
請求項１に記載の無線ＬＡＮアクセスポイント機器において、
前記動作設定変更手段は、前記コンピュータシステムのゲートウェイの設定、および／または、前記無線ＬＡＮアクセスポイント機器の設定、を変更することを特徴とする無線ＬＡＮアクセスポイント機器。
【請求項３】
請求項１または請求項２のいずれかに記載の無線ＬＡＮアクセスポイント機器において、
前記有線障害検知手段により前記有線ＬＡＮの障害が検知されたとき、前記無線送受信手段は、前記コンピュータシステムとの通信を停止することを特徴とする無線ＬＡＮアクセスポイント機器。
【請求項４】
請求項１から請求項３のいずれかに記載の無線ＬＡＮアクセスポイント機器において、
前記動作設定手段は、前記有線ＬＡＮ障害検知手段により前記有線ＬＡＮの障害が検知されてから前記動作設定変更手段が前記動作設定手段の設定を変更するまでの待機時間を設定することを特徴とする無線ＬＡＮアクセスポイント機器。
【発明の詳細な説明】
【技術分野】
【０００１】
本発明は、有線ＬＡＮ（Local  Area  Network）に接続され、無線ＬＡＮ接続機器を備えたコンピュータシステムをこの有線ＬＡＮに接続するための無線ＬＡＮアクセスポイント機器に関する。
【背景技術】
【０００２】
従来から、ＩＥＥＥ802.11a、802.11b、802.11gと呼ばれる、無線ＬＡＮに関する規約が知られている。これらは、ＩＥＥＥ（The  Institute  of  Electrical  and  Electronic  Engineers、米国電気電子学会）に勧告された無線ＬＡＮの標準仕様で、2.4GHz帯域の電波または赤外線を利用する方式が一般的である。今日では、ＩＥＥＥ802.11bが最も代表的な仕様となっている。データ伝送にＬＡＮケーブルのかわりに電波を用い、ＯＳＩ基本参照モデルの第２層であるデータリンク層以上の階層では、有線ＬＡＮと同じプロトコルを用いる。
【０００３】
上記の規約に従うと、ＬＡＮを構成するノードコンピュータ同士を接続する通信媒体の全部または一部を、有線ではなく無線にすることができる。無線ＬＡＮ接続は、無線ＬＡＮ端末に無線部と制御部を有する無線ＬＡＮ接続装置を、有線ＬＡＮ側の接続機器であるブリッジとして無線ＬＡＮアクセスポイントを、それぞれ配置することによって、無線ＬＡＮの通信が可能となる。
【０００４】
このような無線ＬＡＮアクセスポイントは、機器が故障すると、当然にアクセスポイントとして機能しなくなるため、該アクセスポイントにおける無線ＬＡＮ端末の接続が不可能となる。
【０００５】
ここで、例えば、ＯＳＩ基本参照モデルの第３層であるネットワーク層で機能するルータには、ＨＳＲＰ（Hot  Standby  Routing  Protocol）やＶＲＲＰ（Virtual  Router  Redundancy  Protocol）というプロトコルが定められており、１台のルータがダウンしても、同一カテゴリに属する他のルータに自動的に代替して機能させることができる。
【０００６】
同様にアクセスポイント機器のダウンに対処する方法として、ＯＳＩ基本参照モデルの第２層であるデータリンク層で機能する無線ＬＡＮアクセスポイントも、主系と従系の２つのアクセスポイント機器を用意し、主系のアクセスポイント機器に障害が発生した場合に、従系のアクセスポイント機器が自動的に代替して機能するものが提案されている（例えば、特許文献１参照）。このような、アクセスポイント機器の冗長化は、ホットスタンバイ（Hot  Standby）機能といい、主系と従系のアクセスポイント機器が相互に動作の確認を行い、主系のアクセスポイント機器が機能しなくなった場合に、従系のアクセスポイント機器がその機能を引き継ぐ。
【特許文献１】特開２００４−１５２８７号公報
【発明の開示】
【発明が解決しようとする課題】
【０００７】
しかしながら、上記のようなアクセスポイント機器の冗長化は、ＬＡＮの通信帯域は従来のままであるにもかかわらず、１つのアクセスポイントに対して２台のアクセスポイント機器を必要とする。
【０００８】
また、上記のようなアクセスポイント機器の冗長化は、無線ＬＡＮアクセスポイント機器自体の障害には対処できる。しかし、アクセスポイント機器がブリッジであるため、ネットワークレベルでの障害を検知し得ない。このため、アクセスポイント機器自体が正常に機能する場合には、依然として無線ＬＡＮ端末との接続を受付けるため、このアクセスポイント機器が有線ＬＡＮから孤立した状態であっても、この異常を区別することができない。すなわち、無線ＬＡＮアクセスポイントと接続される有線ＬＡＮ側の障害（例えば、ＬＡＮケーブルの断絶、スイッチングハブ等の故障など）には対処することができない。
【０００９】
従って、上記のようなアクセスポイント機器の冗長化は、１つのアクセスポイントに対して２台のアクセスポイント機器を必要とするにもかかわらず、有線ＬＡＮ側の障害によってアクセスポイント機器が有線ＬＡＮから孤立した状態を検知し得ないので、コスト面で非常に効率が悪い。
【課題を解決するための手段】
【００１０】
本発明は、上記問題に鑑み、無線ＬＡＮアクセスポイントと接続される有線ＬＡＮ側の障害を検知して対処することができる無線ＬＡＮアクセスポイント機器を提供することを目的とする。
【００１１】
すなわち、本発明の無線ＬＡＮアクセスポイント機器は、有線ＬＡＮと無線ＬＡＮとから構成されるＬＡＮに接続され、有線ＬＡＮ側の障害を検知する有線ＬＡＮ障害検知手段と、この有線ＬＡＮ障害検知手段により有線ＬＡＮ側の障害が検知されたときに、この無線ＬＡＮアクセスポイント機器の動作に関する設定を変更する設定変更手段を備えたことを特徴とする。具体的には、以下のものを提供する。
【００１２】
（１）  無線部と制御部とを有する無線ＬＡＮ（Local  Area  Network）接続装置が接続されたコンピュータシステムと無線通信可能な、有線ＬＡＮと無線ＬＡＮとから構成されるＬＡＮのネットワーク上に配置される無線ＬＡＮアクセスポイント機器であって、前記コンピュータシステムと通信を行う無線送受信手段（例えば、後述の図２の通信制御部１１など）と、前記無線送受信手段を含む前記無線ＬＡＮアクセスポイント機器を制御する制御手段（例えば、後述の図２の制御部１０など）と、前記無線ＬＡＮアクセスポイント機器の動作に関する設定を行う動作設定手段（例えば、後述の図２の動作設定部１２など）と、を有し、前記有線ＬＡＮの障害を検知する有線ＬＡＮ障害検知手段（例えば、後述の図２の有線ＬＡＮ障害検知部１３など）と、前記有線ＬＡＮ障害検知手段により前記有線ＬＡＮの障害が検知されたとき、この障害に対処するよう前記動作設定手段による前記設定を変更する動作設定変更手段（例えば、後述の図２の動作設定変更部１４、図３のＳ１３、Ｓ１６を実行する制御部１０など）と、を備えたことを特徴とする無線ＬＡＮアクセスポイント機器。
【００１３】
（１）の発明によれば、有線ＬＡＮの障害を検知する有線ＬＡＮ障害検知手段と、有線ＬＡＮ障害検知手段により有線ＬＡＮの障害が検知されたとき、動作設定手段の設定を変更する動作設定変更手段と、を備えたので、有線ＬＡＮの障害に対応して無線ＬＡＮアクセスポイント機器の動作の設定を変更でき、この障害に即した対応により、無線ＬＡＮアクセスポイント機器の比較的高い可用性および信頼性を、低コストで実現することができる。
【００１４】
（２）  （１）に記載の無線ＬＡＮアクセスポイント機器において、前記動作設定変更手段は、前記コンピュータシステムのゲートウェイの設定、および／または、前記無線ＬＡＮアクセスポイント機器の設定、を変更することを特徴とする無線ＬＡＮアクセスポイント機器。
【００１５】
（２）の発明によれば、動作設定変更手段は、コンピュータシステムのゲートウェイの設定、および／または、無線ＬＡＮアクセスポイント機器の設定、を変更するので、有線ＬＡＮの障害の検知に応じて、コンピュータシステムのデフォルトゲートウェイの設定を、有線ＬＡＮの障害を検知した無線ＬＡＮアクセスポイント機器からＬＡＮ内に配置されるその他の適切な機器へ設定変更することができ、および／または、無線ＬＡＮアクセスポイント機器の動作モードを、ルートモードからクライアントモードへ変更することができ、無線ＬＡＮアクセスポイント機器の比較的高い可用性、信頼性、および保守性を、低コストで実現することができる。
【００１６】
（３）  （１）または（２）のいずれかに記載の無線ＬＡＮアクセスポイント機器において、前記有線障害検知手段により前記有線ＬＡＮの障害が検知されたとき、前記無線送受信手段は、前記コンピュータシステムとの通信を停止することを特徴とする無線ＬＡＮアクセスポイント機器。
【００１７】
（３）の発明によれば、有線障害検知手段により有線ＬＡＮの障害が検知されたとき、無線送受信手段は、コンピュータシステムとの通信を停止するので、有線ＬＡＮの障害にもかかわらず、依然としてコンピュータシステムとの通信を受付けることなく、有効な無線ＬＡＮアクセスポイント機器として作動しないため、誤ってコンピュータシステムとの通信を受付けず、その他の有効な有線ＬＡＮに配置される無線ＬＡＮアクセスポイント機器への接続をスムーズに行わせることができ、障害時の無線ＬＡＮアクセスポイント機器の利便性が向上する。
【００１８】
（４）  （１）から（３）のいずれかに記載の無線ＬＡＮアクセスポイント機器において、前記動作設定手段は、前記有線ＬＡＮ障害検知手段により前記有線ＬＡＮの障害が検知されてから前記動作設定変更手段が前記動作設定手段の設定を変更するまでの待機時間を設定することを特徴とする無線ＬＡＮアクセスポイント機器。
【００１９】
（４）の発明によれば、動作設定手段は、有線ＬＡＮ障害検知手段により有線ＬＡＮの障害が検知されてから動作設定変更手段が動作設定手段の設定を変更するまでの待機時間を設定するので、有線ＬＡＮ障害検知手段により有線ＬＡＮの障害が検知されてから発生する可能性のある、ある時間に亘る通信断絶を回避して、動作設定変更手段が動作設定手段の設定をスムーズかつ確実に変更することができる。
【発明の効果】
【００２０】
本発明によれば、有線ＬＡＮの障害に対応して無線ＬＡＮアクセスポイント機器の動作の設定を変更でき、この障害に即した対応により、無線ＬＡＮアクセスポイント機器の比較的高い可用性および信頼性を、低コストで実現することができる。
【発明を実施するための最良の形態】
【００２１】
以下、図１から図６を参照して、本発明の無線ＬＡＮアクセスポイント機器の実施形態を説明する。
【００２２】
先ず、図１を参照して、本発明の無線ＬＡＮアクセスポイント機器のＬＡＮ１００における配置の概略について説明する。
【００２３】
ＬＡＮ１００は、ノート型ＰＣ（Personal  Computer）、ＰＤＡ（Personal  Digital  Assistants）などの可搬型コンピュータ１０３、サーバ１０４、および、クライアント１０５ａ、１０５ｂ、１０５ｃを、無線ＬＡＮアクセスポイント機器１０１ａ、１０１ｂ、１０１ｃ、および、スイッチングハブ１０２ａ、１０２ｂを介して接続することによって構成される。このＬＡＮ１００は、ＴＣＰ／ＩＰまたはＵＤＰ／ＩＰによって通信が行われるＬＡＮである。なお、無線ＬＡＮアクセスポイント機器１０１は、単純にデータ伝送の中継を行うのみのブリッジタイプ、または、ルーティング機能やＮＡＴ（Network  Address  Translator）機能を持ったルータタイプ、のいずれでもよいが、本実施形態ではブリッジタイプとする。
【００２４】
可搬型コンピュータ１０３は、無線ＬＡＮアクセスポイント機器１０１ａ、１０１ｂ、１０１ｃのうちの少なくとも１つをゲートウェイとして、ＬＡＮ１００に無線接続されるように設定されている。
【００２５】
例えば、図１では、無線ＬＡＮアクセスポイント機器１０１ａ、１０１ｂ、１０１ｃにそれぞれ192.168.1.200、192.168.1.201、192.168.1.202というＩＰ（Internet  Protocol）アドレスが割振られており、可搬型コンピュータ１０３では、192.168.1.200、192.168.1.201、192.168.1.202のうちの少なくとも１つのＩＰアドレスをデフォルトゲートウェイとしてＬＡＮ１００に無線接続されるように設定されている。
【００２６】
また、無線ＬＡＮアクセスポイント機器１０１ａ、１０１ｂ、１０１ｃのいずれの動作モードも、ゲートウェイとして可搬型コンピュータ１０３をＬＡＮ１００に無線接続させるルートモードである。
【００２７】
ここで、ルートモードとは、無線ＬＡＮアクセスポイント機器１０１が伝送情報を単純に中継するモードのことであり、後述するクライアントモードとは、無線ＬＡＮアクセスポイント機器１０１がクライアント１０５ａ、１０５ｂ、１０５ｃと同様のノードとして振舞うモードである。
【００２８】
図１では、可搬型コンピュータ１０３は、無線ＬＡＮアクセスポイント機器１０１ａをゲートウェイとして、ＬＡＮ１００に無線接続されている。
【００２９】
無線ＬＡＮアクセスポイント機器１０１ａ、１０１ｂは、スイッチングハブ１０２ａに有線接続されており、無線ＬＡＮアクセスポイント機器１０１ｃは、スイッチングハブ１０２ｂに有線接続されている。
【００３０】
スイッチングハブ１０２ａ、１０２ｂは、有線によりカスケード（Cascade）接続されている。
【００３１】
スイッチングハブ１０２ａには、サーバ１０４、クライアント１０５ａが有線接続されている。また、スイッチングハブ１０２ｂには、クライアント１０５ｂ、１０５ｃが有線接続されている。
【００３２】
以上のようにして、可搬型コンピュータ１０３は、無線接続によってＬＡＮ１００の１つのノードとなることができる。
【００３３】
次に、図２を参照して、無線ＬＡＮアクセスポイント機器１０１の機能ブロックを説明する。
【００３４】
無線ＬＡＮアクセスポイント機器１０１は、マイクロプロセッサ、ＲＯＭ、ＲＡＭ、ＥＰＲＯＭなどから構成される制御部１０を備える。マイクロプロセッサは、後述する図３または図４に示す処理などを、所定のプログラムを起動させることによって実行する。ＲＯＭは、後述する図３または図４に示す処理などをマイクロプロセッサに実行させるプログラムを格納する。ＲＡＭは、後述する図３または図４に示す処理などの実行時に、各種変数、フラグなどを一時記憶するために使用される。ＥＰＲＯＭは、無線ＬＡＮアクセスポイント機器１０１の動作を規定する各種設定、例えば、ＩＰアドレス、動作モード、有線ＬＡＮの障害を検知してからデフォルトゲートウェイなどの設定を変更するまでの待機時間などを記憶するために使用される。
【００３５】
なお、制御部１０には、Ｄ／Ａコンバータなどを介してプラグ電源から電源を供給する電源供給部１６が接続されている。電源供給部１６から供給される電源により、無線ＬＡＮアクセスポイント機器１０１は動作することができる。
【００３６】
さらに、無線ＬＡＮアクセスポイント機器１０１は、通信制御部１１、動作設定部１２、有線ＬＡＮ障害検知部１３、動作設定変更部１４、ＬＡＮポート１５を備える。
【００３７】
なお、制御部１０、通信制御部１１、動作設定部１２、有線ＬＡＮ障害検知部１３、動作設定変更部１４は、無線ＬＡＮアクセスポイント機器１０１の制御回路を構成する。
【００３８】
通信制御部１１は、制御部１０の制御のもとに、可搬型コンピュータ１０３との通信電波の送受信を行う。この通信制御部１１には、アンテナ１７が接続されている。通信制御部１１は、所定の情報信号を電波に変調して、アンテナ１７を介して、可搬型コンピュータ１０３へ電波を送出する。一方、アンテナ１７を介して、可搬型コンピュータ１０３から電波を受信し、この電波を元の情報信号へ復調する。
【００３９】
動作設定部１２は、制御部１０の制御のもとに、ユーザによる操作に応じて、無線ＬＡＮアクセスポイント機器１０１の動作に関する設定を行う。無線ＬＡＮアクセスポイント機器１０１の動作に関する設定は、例えば、動作モード、このＬＡＮアクセスポイント機器１０１が有線ＬＡＮの障害を検知してから可搬型コンピュータ１０３のデフォルトゲートウェイの設定を変更するまでの待機時間、がある。これらの設定は、例えば、無線ＬＡＮアクセスポイント機器１０１とＬＡＮ接続されている状態にあるコンピュータシステムから、ウェブブラウザを介して、無線ＬＡＮアクセスポイント機器１０１に割振られたＩＰアドレスを指定して開かれる、無線ＬＡＮアクセスポイント機器１０１のファームウェアの設定画面から設定可能である。
【００４０】
有線ＬＡＮ障害検知部１３は、制御部１０の制御のもとに、無線ＬＡＮアクセスポイント機器１０１が接続された有線ＬＡＮに障害が発生していないかどうかを定期的に検知する。ＯＳＩ基本参照モデルのネットワーク層のプロトコルであるＩＣＭＰ（Internet  Control  Message  Protocol）を使用して、無線ＬＡＮアクセスポイント機器１０１自身のＩＰアドレスを指定して、調査コマンドを発行する。例えば、図１において、無線ＬＡＮアクセスポイント機器１０１ａが自身のＩＰアドレス192.168.1.200を指定して、調査コマンドを発行する。この調査コマンドのパケットは、スイッチングハブ１０２ａを経由して無線ＬＡＮアクセスポイント機器１０１ａにループバックされる。無線ＬＡＮアクセスポイント機器１０１ａにおいて、ループバックされた調査コマンドに対して応答コマンドが正常に発行されると、この応答コマンドのパケットがスイッチングハブ１０２ａを経由して無線ＬＡＮアクセスポイント機器１０１ａにループバックされる。このようにして応答コマンドのパケットが無線ＬＡＮアクセスポイント機器１０１ａによって正常に受信されると、スイッチングハブ１０２ａ、および、無線ＬＡＮアクセスポイント機器１０１ａとスイッチングハブ１０２ａとを接続するケーブル、のいずれにおいても障害は発生していないと判定される。一方、応答コマンドのパケットが無線ＬＡＮアクセスポイント機器１０１ａによって正常に受信されないと、スイッチングハブ１０２ａ、または、無線ＬＡＮアクセスポイント機器１０１ａとスイッチングハブ１０２ａとを接続するケーブル、のいずれかにおいて障害が発生していると判定される。このようにして、無線ＬＡＮアクセスポイント機器１０１が接続された有線ＬＡＮに障害が発生していないかどうかを検知することができる。なお、調査コマンドは、例えばping（Packet  Internet  Groper）、traceroute（Windows（登録商標）ではtracert）などである。
【００４１】
動作設定変更部１４は、制御部１０の制御のもとに、有線ＬＡＮ障害検知部１３により有線ＬＡＮの障害が検知されると、自動的に、無線ＬＡＮアクセスポイント機器１０１の動作モードの変更および可搬型コンピュータ１０３のデフォルトゲートウェイの変更を行う。具体的には、有線ＬＡＮ障害検知部１３により有線ＬＡＮの障害が検知されると、無線ＬＡＮアクセスポイント機器１０１の動作モードをルートモードからクライアントモードに変更し、可搬型コンピュータ１０３のデフォルトゲートウェイを自身からその他の正常に動作する適切な無線ＬＡＮアクセスポイント機器へ設定変更する。なお、動作設定変更部１４は、無線ＬＡＮアクセスポイント機器１０１の動作モードの変更および可搬型コンピュータ１０３のデフォルトゲートウェイの変更を行わず、通信制御部１１の電波送出を中止するものであってもよい。
【００４２】
ＬＡＮポート１５は、ＬＡＮケーブルの端子を接続するためのポートであり、少なくとも１以上のポート数がある。
【００４３】
次に、図３を参照して、無線ＬＡＮアクセスポイント機器１０１の制御部１０などが実行する処理（ルーチン）の第１実施形態について説明する。
【００４４】
先ず、Ｓ１１では、制御部１０は、有線ＬＡＮ障害検知部１３により有線ＬＡＮの障害が検知されたかどうかを判定する。この判定がＹＥＳのときＳ１２へ処理を移し、ＮＯのときＳ１１を繰返す。
【００４５】
続いて、Ｓ１２では、制御部１０は、ＥＰＲＯＭなどに記憶される、このＬＡＮアクセスポイント機器１０１が有線ＬＡＮの障害を検知してから可搬型コンピュータ１０３のデフォルトゲートウェイの設定を変更するまでの待機時間を参照して、この待機時間にわたり処理のウェイトをかける（待ち時間を消化）。
【００４６】
続いて、Ｓ１３では、制御部１０は、動作設定変更部１４を制御して、ＬＡＮアクセスポイント機器１０１の動作モードの変更を行う。具体的には、動作モードをルートモードからクライアントモードへ変更する。
【００４７】
続いて、Ｓ１４では、制御部１０は、接続端末である可搬型コンピュータ１３に対して、有線ＬＡＮの障害を検知したことを通知する。
【００４８】
続いて、Ｓ１５では、制御部１０は、接続端末である可搬型コンピュータ１３からの入力信号に基づいて、障害への対処処理を行う。具体的には、可搬型コンピュータ１３が発行する障害対処の処理指令（例えば、障害放置、または、ＬＡＮアクセスポイント機器１０１の再起動など）に基づいて、適切な動作、メッセージの表示を行う。
【００４９】
続いて、Ｓ１６では、制御部１０は、接続端末である可搬型コンピュータ１３に対して、デフォルトゲートウェイの設定変更を行わせる指令信号を発行する。この指令信号を受信した可搬型コンピュータ１３は、デフォルトゲートウェイを、当該障害が検知されたＬＡＮアクセスポイント機器１０１から、その他の正常に動作する適切なＬＡＮアクセスポイント機器１０１へ、設定変更する。この処理が終了すると、本ルーチンは終了する。
【００５０】
次に、図４を参照して、有線ＬＡＮにおいて障害が発生したときのＬＡＮ１００の概要を説明する。
【００５１】
図４では、有線ＬＡＮ内のＬＡＮアクセスポイント機器１０１ａとスイッチングハブ１０２ａとを接続するＬＡＮケーブルにおいて障害が発生している（または、スイッチングハブ１０２ａにおける障害であってもよい）。
【００５２】
このとき、図３のＳ１３の処理によりＬＡＮアクセスポイント機器１０１ａの動作モードがルートモードからクライアントモードに切替られる。そして、図３のＳ１４の処理により、ＬＡＮアクセスポイント機器１０１ａから可搬型コンピュータ１３に対して、障害通知がされる。続いて、図３のＳ１５の処理により、可搬型コンピュータ１３に入力された障害対処の処理指令がＬＡＮアクセスポイント機器１０１ａへ送信される。この障害対処の処理指令を受信後に、図３のＳ１６の処理により、ＬＡＮアクセスポイント機器１０１ａから可搬型コンピュータ１３へ、デフォルトゲートウェイの変更を行わせる指令信号が送信される。
【００５３】
次に、図５を参照して、有線ＬＡＮにおいて障害が発生し、図３に示す処理が実行された後のＬＡＮ１００の概要を説明する。
【００５４】
図５では、可搬型コンピュータ１３は、有線ＬＡＮの障害を検知したＬＡＮアクセスポイント機器１０１ａからＬＡＮアクセスポイント機器１０１ｂへ、デフォルトゲートウェイの変更を変更して、ＬＡＮアクセスポイント機器１０１ｂをアクセスポイントとしてＬＡＮ１００に接続される。
【００５５】
本実施形態の第１実施形態では、ＬＡＮアクセスポイント機器１０１ａの制御部１０などが、図３の処理を実行することによって、障害に対処するとした。すなわち、有線ＬＡＮ側の障害を検知したＬＡＮアクセスポイント機器１０１ａは、動作モードの変更、接続端末に対する障害検知の通知、接続端末からの入力に基づく障害への対処処理などを含むのＬＡＮアクセスポイント機器１０１の保守、可搬型コンピュータ１３のデフォルトゲートウェイの変更処理を行うとしている。しかし、これに限らず、これらの処理を行わず、単に通信制御部１１（図２参照）の動作を無効にし、可搬型コンピュータ１３のデフォルトゲートウェイの変更処理を行うとしてもよい。この処理を第２実施形態として、図６に示す。図６に示す無線ＬＡＮアクセスポイント機器１０１の制御部１０などが実行する処理（ルーチン）を、図３に示す第１実施形態の処理に代えて実行してもよい。
【００５６】
図６を参照して、先ず、Ｓ２１では、制御部１０は、有線ＬＡＮ障害検知部１３により有線ＬＡＮの障害が検知されたかどうかを判定する。この判定がＹＥＳのときＳ１２へ処理を移し、ＮＯのときＳ１１を繰返す。
【００５７】
続いて、Ｓ２２では、制御部１０は、通信制御部１１の動作を無効にし、可搬型コンピュータ１３と情報信号の送受信を一切行わないように動作を停止させる。
【００５８】
続いて、Ｓ２３では、制御部１０は、接続端末である可搬型コンピュータ１３に対して、デフォルトゲートウェイの設定変更を行わせる指令信号を発行する。この指令信号を受信した可搬型コンピュータ１３は、デフォルトゲートウェイを、当該障害が検知されたＬＡＮアクセスポイント機器１０１から、その他の正常に動作する適切なＬＡＮアクセスポイント機器１０１へ、設定変更する。この処理が終了すると、本ルーチンは終了する。
【００５９】
本実施形態のＬＡＮアクセスポイント機器１０１は、特殊な装置、器具を用いることなく、実装するファームウェアのプログラミングを適切に行うことで実施可能である。このため、既存のＬＡＮアクセスポイント機器に対して大きな設計変更を伴うことなく、比較的安価にＬＡＮアクセスポイント機器の比較的高い信頼性および可用性を効率的に実現することができ、費用対効果の点で大変有利である。
【００６０】
本実施形態では、障害を検知したＬＡＮアクセスポイント機器１０１からその他の正常に動作する適切なＬＡＮアクセスポイント機器１０１への接続の切換えは、可搬型コンピュータ１０３のデフォルトゲートウェイの設定を変更させることによって実現するとした。しかしこれに限らず、ローミング機能により自動的に付近の正常に動作する適切なＬＡＮアクセスポイント機器１０１を検索して接続するようにしてもよい。
【００６１】
なお、可搬型コンピュータ１０３におけるデフォルトゲートウェイの設定は予め複数設定されていてもよい。この複数設定されたデフォルトゲートウェイから最寄りのＬＡＮアクセスポイント機器１０１を検索して接続するようにしてもよい。また、この最寄りのＬＡＮアクセスポイント機器１０１が有線ＬＡＮの障害を検知している場合には接続せず、これ以外で最寄りのＬＡＮアクセスポイント機器１０１を検索して接続するようにしてもよい。
【００６２】
以上、本発明の実施形態を説明したが、具体例を例示したに過ぎず、特に本発明を限定するものではなく、各部、各手段等の具体的構成は、適宜設計変更可能である。また、本発明の実施形態に記載された効果は、本発明から生じる最も好適な効果を列挙したに過ぎず、本発明による効果は、本実施形態に記載されたものに限定されるものではない。
【図面の簡単な説明】
【００６３】
【図１】本実施形態の無線ＬＡＮアクセスポイント機器１０１を配置するＬＡＮ１００の構成の例を示す図である。
【図２】本実施形態の無線ＬＡＮアクセスポイント機器１０１の機能ブロックの例を示す図である。
【図３】本実施形態の無線ＬＡＮアクセスポイント機器１０１の動作の第１実施形態の処理を示すフローチャートである。
【図４】本実施形態の無線ＬＡＮアクセスポイント機器１０１の動作の第２実施形態の処理を示すフローチャートである。
【図５】本実施形態の無線ＬＡＮアクセスポイント機器１０１が、有線ＬＡＮの障害を検知したときに、クライアントモードとして動作する概要を示す図である。
【図６】本実施形態の無線ＬＡＮアクセスポイント機器１０１が、有線ＬＡＮの障害を検知したときに、ローミング機能によって他の無線ＬＡＮアクセスポイント機器１０１に機能を代替させる概要を示す図である。
【符号の説明】
【００６４】
１０    制御部
１１    通信制御部
１２    動作設定部
１３    有線ＬＡＮ障害検知部
１４    動作設定変更部
１００    ＬＡＮ
１０１、１０１ａ、１０１ｂ、１０１ｃ    無線ＬＡＮアクセスポイント機器
１０２ａ、１０２ｂ    スイッチングハブ
１０３    可搬型コンピュータ
１０４    サーバ
１０５ａ、１０５ｂ、１０５ｃ    クライアント
【図１】
2006094277.tif 000003
【図２】
2006094277.tif 000004
【図３】
2006094277.tif 000005
【図４】
2006094277.tif 000006
【図５】
2006094277.tif 000007
【図６】
2006094277.tif 000008